(57)【要約】      （修正有）【課題】超硬質で耐摩耗性に優れているが、脆性であるセラミック刃体であっても、負荷による刃こぼれを生じないセラミック鋏を提供する。【解決手段】回動軸１ａで軸着された刃体２と把手部３を備えた鋏１において、刃体２の回動軸１ａの先端側には刃部２ａを形成し、刃体２の回動軸１ａの基端側には基部を延設させてセラミックで形成すると共に、基部を埋設固着したエラストマー樹脂で形成した把手部３とから成り、把手部３は刃体２の刃部２ａの間に一定の切力負荷をかけたとき可撓性を発揮して把手部３の握り部位から屈曲することにより刃部２ａに一定限度を越えて負荷応力がかかならいようにしたものである。【選択図】図２
2009045239.tif 000002
【特許請求の範囲】
【請求項１】
略対称的に回動軸で軸着された一対の刃体と把手部を備えた鋏において、前記一対の刃体の回動軸の先端側には相対する長手方向に夫々刃部を形成し、前記一対の刃体の回動軸の基端側には夫々基部を延設させてセラミックで形成すると共に、前記夫々の基部を先端側に埋設させて固着したエラストマー樹脂で形成した夫々の把手部とから成り、前記一対の把手部は一対の刃体の刃部の間に一定の切力負荷をかけたとき可撓性を発揮して前記把手部の握り部位から屈曲することにより刃部に一定限度を越えて負荷応力がかかならいようにしたことを特徴とするセラミック製鋏。
【請求項２】
前記エラストマー樹脂で形成した一対の把手部は夫々の刃体の基部を埋設する把手部固定部と、該夫々の把手部固定部に延設した略長円環状の指挿通部とを夫々形成したことを特徴とする請求項１に記載のセラミック製鋏。
【請求項３】
前記エラストマー樹脂の硬度は少なくともショア硬度９０以上としたことを特徴とする請求項１又は請求項２に記載のセラミック製鋏。
【請求項４】
前記夫々の把手部の挟持方向の断面積が少なくとも１ｃｍ２  以上とし、前記セラミック刃体の刃部の切作用点に負荷される応力が多くとも５０Ｋｇｆ／ｃｍ２  以下としたことを特徴とする請求項１〜３のいずれか一項に記載のセラミック製鋏。
【発明の詳細な説明】
【技術分野】
【０００１】
本発明は、セラミックの刃体とエラストマー樹脂の把手部から成るセラミック製鋏に関するものであり、更に詳細には、超硬質で脆性のセラミック刃体の鋏の刃こぼれや破損を皆無とするセラミック製鋏に関するものである。
【背景技術】
【０００２】
従来、セラミック製鋏は材料特性として硬質で有るため切断能力に優れ経年にわたって使用できるものであるが、他の材料特性としては脆性を有するものであり、そのために良く切れるけど負荷が大きいと直ぐに刃こぼれがしてしまうことから特殊な需要に対しては使用されているものの、一般的には普及が遅れているのが実情である。
【０００３】
例えば、先に開示された、把持部にエラストマーを用いた鋏として、両柄部に取着した把持部をエラストマーにより成形し、この両把持部の相対向内側部に蓋挟持部を設けている。これらの蓋回し補助具付き鋏を使用する場合に、両柄部４，５を互いに開いて両蓋挟持部１０で蓋１７を柔軟材１３または把持部により挟み、両柄部４，５を回転させると、蓋１７を回転させて開閉することができるもの（特許文献１参照）があり、柄部に弾性部を備えたものとして、作用部３ａ，３ｂを全閉した際に枢結軸を中心とした回動が停止するために衝突する部位、例えば柄部の対向面に設けた突部４ａ，４ｂや、枢結箇所の近傍の部材重合箇所において部材衝突箇所となる部位に、適宜なクッション機能及び反発機能を備えた弾性部５ａ，５ｂを設けてなり、衝突部位で衝突した際に、弾性部５ａ，５ｂで衝突の衝撃を吸収すると同時に弾性部の反発力で開放方向への付勢力とするもの（特許文献２参照）があり、また、セラミック製鋏として、一の刃４および他の刃５がいずれも回動支軸３から切先に近づくほど互いに相手側方向に弓なりに湾曲し、一の刃４、他の刃５いずれの摺り合わせ面９、１１も湾曲して凹み、両方の刃４、５の各刃先線６、７は互いに点接触し、一の刃４の刃先線６は他の刃５の刃先線７より硬度の高い焼成セラミックス１０で表面形成されているもの（特許文献３参照）がある。
【特許文献１】特開平９−１９２３５９号公報
【特許文献２】実用新案登録第３１１３２２４号公報
【特許文献３】実開平５−７８２０７号公報
【発明の開示】
【発明が解決しようとする課題】
【０００４】
然し乍ら、セラミック刃体の鋏の刃こぼれを無くする構成のものは開示されおらず、特許文献１に記載のものは、把持部をエラストマーにより成形しているものであるが、瓶の蓋を容易に回転させて開封するために使用するものであり、エラストマーの可撓性より弾性を摩擦抵抗として蓋をスリップすることなく回動させるものであり、特許文献２に記載のものは、柄部に弾性部を備えたているものであるが、作用部３ａ，３ｂを全閉した際に枢結軸を中心とした回動が停止するために衝突する部位に、適宜なクッション機能及び反発機能を備えた弾性部５ａ，５ｂを設けているもので、衝突部位で衝突した際に、弾性部５ａ，５ｂで衝突の衝撃を吸収すると同時に弾性部の反発力で開放方向への付勢力とするものであり、更に、特許文献３に記載のものは、セラミック製鋏であるが、一の刃４の刃先線６は他の刃５の刃先線７より硬度の高い焼成セラミックス１０で表面形成されているもので、柄部には開状態を維持するように屈曲バネ８を備えているものであるが、一定の負荷以上はかからない外科手術用鋏である。
【０００５】
つまり、セラミック刃体の一つの材料特性としては超硬質であり、耐摩耗性に優れていることから、刃先を形成するといつまでも切れ味が維持されることから、被切断物が次第に厚くもの又は硬いものに使用する傾向があるが、セラミックのもう一つの材料特性としては脆性であり、一定以上の負荷をかけると刃こぼれを起こしたり、刃体が破断するものであり、その為、一般的には広く普及が成されていない実情である。
【課題を解決するための手段】
【０００６】
本発明は、前述の課題に鑑み、研鑽の結果、略対称的に回動軸で軸着された一対の刃体と把手部を備えた鋏において、刃体の回動軸の先端側には相対する長手方向に刃部を形成し、刃体の回動軸の先端側には相対する長手方向に夫々刃部を形成し、刃体の回動軸の基端側には基部を延設させてセラミックで形成すると共に、基部を先端側に埋設させて固着したエラストマー樹脂で形成した把手部とから成り、把手部は刃体の刃部の間に一定の切力負荷をかけたとき可撓性を発揮して把手部の握り部位から屈曲することにより刃部に一定限度を超えて負荷応力がかからないようにしたものであり、更に、エラストマー樹脂で形成した把手部は刃体の基部を埋設する把手部固定部と、把手部固定部に延設した略長円環状の指挿通部とを形成したものであり、更には、エラストマー樹脂の硬度は少なくともショア硬度９０以上とし、加えて、把手部の挟持方向の断面積が少なくとも１ｃｍ２  以上とし、一定の負荷される応力が多くとも５０Ｋｇｆ／ｃｍ２  以下としたものである。
【発明の効果】
【０００７】
本発明のセラミック製鋏のセラミック刃体にエラストマー樹脂で形成した把手部を備えたもので、一対の刃体の刃部の間に一定の切力負荷をかけたときに把手部の握り部位は可撓性を発揮して湾曲するものであり、湾曲することにより、一対の把手部の一部が当接してそれ以上の切力負荷が刃部にかからないようにしているもので、刃こぼれや刃体の破断が皆無となり、いつまでも優れた切れ味を維持する鋏として使用できるもので、極めて有効的で実用性の高い発明である。
【発明を実施するための最良の形態】
【０００８】
以下、本発明のセラミック製鋏の実施例の図面を用いて詳細に説明すると、図１は本発明のセラミック製鋏の実施例の閉状態の平面図であり、図２は本発明のセラミック製鋏の実施例の開状態の平面図であり、図３は本発明のセラミック製鋏の実施例の使用状態の平面図である。
【０００９】
本発明は、セラミックの刃体２とエラストマー樹脂の把手部３から成るセラミック製の鋏１に関するものであり、更に詳細には、超硬質で脆性のセラミック刃体２の鋏の刃こぼれや破損を皆無とするセラミック製の鋏１に関するものであり、請求項１に記載のセラミック製鋏は、略対称的に回動軸１ａで軸着された一対の刃体２．２と把手部３．３を備えた鋏１において、前記一対の刃体２．２の回動軸１ａの先端側には相対する長手方向に夫々刃部２ａ．２ａを形成し、前記一対の刃体２．２の回動軸１ａの基端側には夫々基部２ｂ．２ｂを延設させてセラミックで形成すると共に、前記夫々の基部２ｂ．２ｂを先端側に埋設させて固着したエラストマー樹脂で形成した夫々の把手部３．３とから成り、
前記一対の把手部３．３は一対の刃体２．２の刃部２ａ．２ａの間に一定の切力負荷をかけたとき可撓性を発揮して前記把手部３．３の握り部位から屈曲することにより刃部２ａ．２ａに一定限度を越えて負荷応力がかかならいようにしたことを特徴とするものである。
【００１０】
更に、請求項２の記載のセラミック製鋏は、請求項１の記載のセラミック製鋏において、前記エラストマー樹脂で形成した一対の把手部３．３は夫々の刃体２．２の基部２ｂ．２ｂを埋設する把手部固定部３ａ．３ａと、該夫々の把手部固定部３ａ．３ａに延設した略長円環状の指挿通部３ｂ．３ｂとを夫々形成したものである。
【００１１】
更には、請求項３に記載のセラミック製鋏は、請求項１又は請求項２に記載のセラミック製鋏において、前記エラストマー樹脂の硬度は少なくともショア硬度９０以上としたことを特徴とするものである。
【００１２】
加えて、請求項４の記載のセラミック製鋏は、請求項１〜３のいずれか一項に記載のセラミック製鋏において、前記夫々の把手部３．３の挟持方向の断面積が少なくとも１ｃｍ２  以上とし、前記セラミック刃体２．２の刃部２ａ．２ａの切作用点に負荷される応力が多くとも５０Ｋｇｆ／ｃｍ２  以下としたことを特徴とするものである。
【実施例】
【００１３】
即ち、本発明のセラミック製鋏１は、略対称的に回動自在とした回動軸１ａで軸着された一対の刃体２．２と把手部３．３を備えたもので、外観形状は一般に汎用されている左右対称型の鋏と略同じ形状のものである。
【００１４】
次に、一対の刃体２．２の回動軸１ａの先端側には相対する長手方向に夫々刃部２ａ．２ａを形成しており、夫々の刃部２ａ．２ａに紙や布地等の被切断物Ａを挟持して負荷をかけることにより切断するものである。
【００１５】
そして、一対の刃体２．２の回動軸１ａの基端側には基部２ｂ．２ｂを延設させるもので、該基部２ｂ．２ｂは後述する把手部３．３に埋設固着させるものであり、一対の刃体２．２は焼結させたセラミックで形成するものである。
【００１６】
次いで、夫々の把手部３．３は夫々の基部２ｂ．２ｂを先端側に埋設させて固着しており、夫々の把手部３．３の基端側には略長円環状の指挿通部３ｂ．３ｂを夫々対称的に延設しており、夫々の内側には鋏１が閉状態で当接する当接突起物３ｃ．３ｃを突設してしているものである。
【００１７】
更に、一対の把手部３．３は一対の刃体２．２の間に一定の切力負荷をかけたとき可撓性を発揮するエラストマー樹脂で形成しているもので、つまり、夫々の把手部３．３の略長円環状の指挿通部３ｂ．３ｂに親指と他の指Ｂを挿通させ、一対の刃体２．２の間に被切断物Ａを挟持させて切断するとき、被切断物Ａが厚いときや硬いときには多大の切力負荷がかかるもので、脆性のセラミック刃体２．２が設計上の許容負荷かかる前に把手部３．３が可撓性を発揮して、夫々の把手部３．３の内側に突設した当接突起物３ｃ．３ｃが当接してそれ以上の切力負荷がかからないものである。
【００１８】
更に、本発明のセラミック製鋏１の把手部３．３のエラストマー樹脂の硬度は少なくともショア硬度９０以上としたものであり、これ以下であると極薄い被切断物Ａの切断は可能であるが、やや厚みのあるものや、やや硬い被切断物Ａの切断は出来なくなり実用的では無いものである。
【００１９】
更には、夫々の把手部３．３の挟持方向の断面積、つまり、切断時に力の加わる図示する巾方向の断面積が少なくとも１ｃｍ２  以上とするものであり、更に、一対の刃体２．２の刃部２ａ．２ａの間の切作用点に負荷される応力が多くとも５０Ｋｇｆ／ｃｍ２  以下としたものである。
【００２０】
本発明のセラミック製鋏１の把手部３．３は、汎用されるサイズにおいて、切断時の握力が略１５Ｋｇｆ／ｃｍ２  を超えるとエラストマー樹脂で形成した把手部３．３の可撓性が発揮され、一対の刃体２．２の刃部２ａ．２ａの間の切作用点に負荷される応力が５０Ｋｇｆ／ｃｍ２  に成る前に把手部３．３に突設した当接突起物３ｃ．３ｃが当接して、それ以上の負荷はかからないものである。
【００２１】
つまり、一般的な鋏１において、図２に図示するように、把手部３．３の把手部固定部の指挿入部に指Ｂを挿通させて、一対の刃体２．２の刃部２ａ．２ａに被切断物Ａを挟持させて切断するとき、回動軸１ａを中心として刃体２．２と把手部３．３とは対称に可動するもので、即ち、梃子の原理により指Ｂで負荷をかける中心線Ｃによる力点Ｚと回動軸１ａの中心点Ｙと被切断物Ａの作用点Ｘにおいて、Ｘ−Ｙ間の距離とＹ−Ｚ間の距離が１：３である場合、力点Ｚにかかる負荷が約１５Ｋｇｆ／ｃｍ２ の握力に対して作用点Ｘにかかる応力は約４５Ｋｇｆ／ｃｍ２  であり、一般的なジルコニアセラミックの曲げ耐力は３００Ｋｇｆ／ｃｍ２  であることから、薄ものの刃部２ａ．２ａであっても刃こぼれや破断が回避できるものである。
【産業上の利用可能性】
【００２２】
本発明のセラミック製鋏のセラミック刃体にエラストマー樹脂で形成した把手部を備えたもので、一対の刃体の間に一定の負荷をかけたときに把手部は可撓性を発揮して湾曲するものであり、湾曲することにより、一対の把手部の一部が当接してそれ以上の負荷が刃体にかからないようにしているもので、刃こぼれや刃体の破断が皆無となり、いつまでも優れた切れ味を維持する鋏として使用できるセラミック製鋏を提供するものである。
【図面の簡単な説明】
【００２３】
【図１】図１は本発明のセラミック製鋏の実施例の閉状態の平面図である。
【図２】図２は本発明のセラミック製鋏の実施例の開状態の平面図である。
【図３】図３は本発明のセラミック製鋏の実施例の使用状態の平面図である。
【符号の説明】
【００２４】
１      鋏
１ａ    回動軸
２      刃体
２ａ    刃部
２ｂ    基部
３      把手部
３ａ    把手部固定部
３ｃ    当接突起物
Ａ      被切断物
Ｂ      指
Ｃ      中心線
Ｘ      作用点
Ｙ      中心点
Ｚ      力点
【図１】
2009045239.tif 000003
【図２】
2009045239.tif 000004
【図３】
2009045239.tif 000005